(57)【要約】【課題】  奥まったスペースや狭いスペースにも良好に設置でき、しかも、見栄え性が良く、ロールペーパーの交換が簡単に行える収納式紙巻器を提供する。【解決手段】  キャビネット１の収納空間Ｓ内に収納される使用位置と、収納空間Ｓから前方へ真っ直ぐ引き出される交換位置に亘り、スライド移動可能に紙巻器３を構成し、交換位置へ引き出す時に紙切板６が持ち上がり、良好にロールペーパー７を横方向へ抜き差しできるように構成する。【選択図】        図５
2006051291.tif 000002
【特許請求の範囲】
【請求項１】
キャビネット等の収納空間内に収納される使用位置と、前記収納空間から、ロールペーパーを交換可能に真っ直ぐ引き出される交換位置に亘りスライド移動可能に構成されていることを特徴とする収納式紙巻器。
【請求項２】
前記使用位置から交換位置へ引き出す時に、紙切板を持ち上げることのできる紙切板上昇機構が設けられていることを特徴とする請求項１に記載の収納式紙巻器。
【請求項３】
前記交換位置において、ロールペーパーを抜き差しできるように構成したことを特徴とする請求項１または請求項２に記載の収納式紙巻器。
【発明の詳細な説明】
【技術分野】
【０００１】
本発明は、キャビネット等の収納空間内に収納できる収納式紙巻器に関するものである。
【背景技術】
【０００２】
従来、紙巻器は、下方からロールペーパーをセットするワンタッチ着脱方式のものとか、横方向からロールペーパーを差し込む方式のものなどがあり、また、例えば特許文献１に開示されているように、扉に紙巻器を設けて、扉を開けてロールペーパーを交換できるような構造のものがある。
【特許文献１】実開昭６０−１８２８９８号公報
【発明の開示】
【発明が解決しようとする課題】
【０００３】
下方からロールペーパーをセットする方式の紙巻器では、紙巻器の下方にロールペーパーを装着するためのスペースが必要となり、また、横方向からロールペーパーを装着するものでは、横方向に装着のためのスペースが必要となり、場所によっては、そのようなスペースが確保できずに紙巻器を設置できない場合があった。
また、前記特許文献１に開示されているような構造のものでは、扉を開く方式であるため、左右の勝手の問題があり、壁があると扉が当たってしまい、ロールペーパーを交換しづらくなるという問題点があった。
【課題を解決するための手段】
【０００４】
本発明は上記従来の問題点に鑑み案出したものであって、左右勝手の問題が生ずることなく、奥まったスペースや狭いスペースにも良好に設置でき、また、ロールペーパーの交換が容易に行える収納式紙巻器を提供せんことを目的とし、その請求項１は、キャビネット等の収納空間内に収納される使用位置と、前記収納空間から、ロールペーパーを交換可能に真っ直ぐ引き出される交換位置に亘りスライド移動可能に構成されていることである。
また、請求項２は、前記使用位置から交換位置へ引き出す時に、紙切板を持ち上げることのできる紙切板上昇機構が設けられていることである。
また、請求項３は、前記交換位置において、ロールペーパーを抜き差しできるように構成したことである。
【発明の効果】
【０００５】
本発明の収納式紙巻器は、キャビネット等の収納空間内に収納される使用位置と、収納空間から、ロールペーパーを交換可能に真っ直ぐ引き出される交換位置に亘りスライド移動可能に構成されていることにより、左右勝手の問題が生ずることなく、奥まったスペースや狭いスペースにも良好に紙巻器を設置することができ、スペースを効率的に使え、また見栄えが良好なものとなり、ロールペーパーを交換する際には、真っ直ぐ引き出して、良好にロールペーパーの交換を行うことができ、通常は収納空間内に露出しない状態で見栄え良く設置して、良好に使用することができるものとなる。
【０００６】
また、使用位置から交換位置へ引き出す時に、紙切板を持ち上げることのできる紙切板上昇機構が設けられていることにより、紙巻器を引き出すと、同時に紙切板が持ち上がるために、紙切板に触れることなく、片手で容易にロールペーパーの交換が可能となる。
【０００７】
また、交換位置において、ロールペーパーを抜き差しできるように構成したことにより、ロールペーパーを抜き差しして交換することができ、見栄え性が向上したものとなる。
【実施例】
【０００８】
以下、本発明の実施例を図面に基づいて説明する。
図１は、キャビネットに設けられた紙巻器を示すものであり、キャビネット１内の収納空間Ｓ内には、前方側へ真っ直ぐに引き出し可能に引出し２が設けられており、この引出し２の下面に、横二連式の紙巻器３が設けられている。
【０００９】
この紙巻器３は、図２の概略斜視図で示すように、キャビネット１の収納空間Ｓ内に収納される使用位置では、キャビネット１内に入り込んで露出しないため、見栄え良く収納しておくことができ、この状態でロールペーパー７を前方側へ引き出して良好にロールペーパーを使用することができるものである。
【００１０】
紙巻器３は、引出し２の下面中央に斜め傾斜状または垂下状に支持バー４が設けられ、この支持バー４の下端に、略水平状に横バー５が設けられており、この横バー５に横方向から抜き差し可能にロールペーパー７を取り付けることができるものであり、上面には上下方向に揺動できる紙切板６，６が設けられている。
【００１１】
図２の使用位置から、引出し２を前方側へ真っ直ぐ引き出してゆくと、図３のように徐々に紙巻器３が引出し２と共に前方側へ引き出されてゆき、やがては図４に示すように、キャビネット１の前方側に紙巻器３が露出し、この状態で、図５のように、横バー５に横方向からロールペーパー７を抜き差しして交換することができるものであり、図４及び図５の状態は、交換位置を示すものである。
【００１２】
なお、本例では、交換位置に引き出される時に、紙切板６，６が上方へ持ち上がるように構成されており、紙切板６に手を触れることなく、片手で良好に横バー５にロールペーパー７を抜き差しして交換することができるものである。
【００１３】
この紙巻器３の構造を更に詳細に、図６の正面図で、また図７の側面図で説明すると、横バー５の中央部に連結される支持バー４の上端は、取付プレート８に固定されており、取付プレート８は、引出し２の底面にビスを介して固定することができ、この取付プレート８を引出し２に固定した状態で紙巻器３が引出し２に固定されるものである。
取付プレート８の左右両端側及び中央部には、垂下状に端側垂下片８ａ，８ａ，８ａ，８ａが設けられており、この端側垂下片８ａには、軸９を介して上下に揺動可能に紙切板６，６が設けられており、さらに、各紙切板６の端側には、この紙切板６を交換位置へ引き出す時に持ち上げることのできるバネ板１０，１０が設けられている。
【００１４】
このバネ板１０は軸９に取り付けられており、バネ板１０の前部部位には、上方へ突出した戻り用凸部１０ａが形成され、また、バネ板１０の後端側には、鉤状に係合部１０ｂが形成されている。
また、このバネ板１０の係合部１０ｂが係脱可能な係止部１１ａを有する略コの字状のバネ保持部材１１が取付プレート８の端側垂下片８ａに取り付けられている。
さらに、キャビネット１の側板の内側には、固定部材１２がビスで固定されており、この固定部材１２とバネ板１０とバネ保持部材１１で紙切板上昇機構が構成されている。
【００１５】
この紙切板上昇機構の作用状態を図８及び図９で説明する。
即ち、図８では使用位置を示すものであり、使用位置では、引出し２がキャビネット１内に差し込まれて、紙巻器３はキャビネット１の収納空間Ｓ内に収納された状態となっており、この状態では、紙切板６の前端はロールペーパー７の上面に自重で当接した状態となっており、ロールペーパー７を前方側へ引き出して、紙切板６の先端で切断して、良好に使用することができるものである。
なお、この状態では、バネ板１０の後端の係合部１０ｂは、バネ保持部材１１の係止部１１ａの上方に配置されて、バネ板１０はフリーな状態となっている。
【００１６】
この図８の使用位置から、引出し２を前方側へ真っ直ぐ引き出してゆくと、図９のような交換位置となり、この状態では、キャビネット１側に固定されている固定部材１２がバネ板１０の係合部１０ｂを下方側へ押圧することにより、係合部１０ｂはバネ保持部材１１の係止部１１ａに係合されて保持された状態となり、この状態では、バネ板１０の前端側は上昇し、バネ板１０に連繋されている紙切板６も上昇して持ち上がることとなり、片手で良好にロールペーパー７を横バー５に抜き差しして交換することができるものとなる。
【００１７】
ロールペーパー７を交換した後、再び引出し２をキャビネット１内に差し込むと、この時には、固定部材１２がバネ板１０の戻り用凸部１０ａを下方側へ押圧し、これにより、バネ板１０の係合部１０ｂがバネ保持部材１１の係止部１１ａから外されてフリーな状態となり、紙切板６は自重でロールペーパー７の上面に当接されることとなる。
【００１８】
このように本例では、引出し２を前方へ引き出すことで、紙切板６が持ち上げられて、容易に片手でロールペーパー７の交換を行うことができ、また、引出し２をキャビネット１内に収納することで、紙巻器３もキャビネット１の収納空間Ｓ内に見栄え良く収納されることとなり、ロールペーパー７を交換するためのスペースを下方とか横方に予め設けておく必要がなく、奥まったスペースや狭いスペースにも紙巻器３を設置することができ、スペースを効率的に使え、しかも左右勝手の問題が生ずることがなく、見栄え良く紙巻器３を設置できるものである。
【００１９】
次に、紙切板上昇機構の別例を図１０及び図１１で示す。
図１０は、使用位置であり、バネ板１０の後端にはワイヤー１４が連繋されており、ワイヤー１４は滑車１５を介して下方側へ導かれ、下端側にはバネ１６が連繋されている。
なお、支持バー４及び横バー５の構造、及びバネ板１０の構造は、図７，図８，図９のものと同様である。
図１０の使用位置では、紙切板６は自重でロールペーパー７の上面に当接した状態となっており、良好にロールペーパー７を引き出して紙切板６で切断して使用できるものである。
【００２０】
一方、図１１のように、引出し２を前方側へ真っ直ぐ引き出してゆくと、紙切板６及びバネ板１０も前方側へ移動してゆくが、この時に、キャビネット１側に固定されているバネ１６の付勢力が作用することとなり、ワイヤー１４を介してバネ板１０が後側へ引っ張られて、これにより紙切板６の前端が持ち上がることとなり、良好に片手でロールペーパー７を交換できるものとなる。
【００２１】
次に、図１２，図１３，図１４，図１５で示すものは、紙切板上昇機構の別パターンであり、本例では、引出し２の底面に固定される取付プレート８と支持バー４と横バー５は前例と同様なものであるが、キャビネット１に固定支柱１７が垂設されており、固定支柱１７の下端に軸９を介して揺動可能に紙切板６が取り付けられている。
なお、固定支柱１７は、図１４及び図１５の平面図で示すように、予め引出し２の左右両端側に前後方向に長い引出し長孔２ａ，２ａを形成させておき、この引出し長孔２ａ，２ａ内に固定支柱１７を垂設させておくことができるものである。
一方、左右中央部に設けられている支持バー４の上面には、横方向に延びる持ち上げ用バー１８が固定されている。
【００２２】
図１２及び図１４の使用位置では、持ち上げ用バー１８は紙切板６の後方側に配置され、紙切板６は自重でロールペーパー７の上面に当接した状態となっている。
この状態から、図１３及び図１５に示すように、引出し２を前方側へ真っ直ぐ引き出してゆくと、支持バー４と共に持ち上げ用バー１８も前方側へ移動してゆき、この移動時に、キャビネット１側に設けられている紙切板６の下面に、持ち上げ用バー１８が接触しながら、紙切板６の前端を上方へ持ち上げることとなる。
これにより紙切板６が持ち上がった状態で、良好にロールペーパー７を横バー５に抜き差しして、容易にロールペーパー７を交換することができるものである。
【００２３】
次に、図１６及び図１７で示すものは、紙切板上昇機構の別例であり、本例では、紙切板６後端の軸９にギヤ１９が連繋されており、一方、キャビネット１の側板には予め固定部材１２を固定しておき、この固定部材１２の下面には、ギヤ１９と噛合する歯部１２ａが形成されている。
引出し２の下面に取付プレート８を介して固設された紙巻器３は、図６の使用位置では、ギヤ１９はフリーとなっており、紙切板６は自重でロールペーパー７の上面に当接した状態となっている。
【００２４】
この状態から図１７に示すように、引出し２を前方側へ真っ直ぐ引き出してゆくと、ギヤ１９が、キャビネット１側に固定されている固定部材１２の歯部１２ａに噛合されて、前方側への移動に伴ってギヤ１９が時計方向に回転を開始し、これに伴い軸９が回転し、紙切板６の前端が上昇されてゆくこととなる。
逆に、引出し２を図１６のようにキャビネット１内に収納させてゆけば、ギヤ１９は逆回転して、その後、固定部材１２の歯部１２ａから外れてフリーの状態となる。
従って、ギヤ１９と固定部材１２の歯部１２ａの噛合により、所定の角度でギヤ１９が回動されて、紙切板６を良好に上下動させることができるものである。
【００２５】
次に、図１８及び図１９で示すものは、紙切板上昇機構の別例を示すものであり、本例では、キャビネット１の側板に固定レール２０を予め固定しておくものであり、この固定レール２０は、前方側が上下高さ幅の狭い狭小部２０ａとなっており、後部は上下高さ幅の広い拡大部２０ｂとなっている。
一方、紙切板６の後端の左右端にはローラーＲが設けられており、このローラーＲが固定レール２０内に嵌め込まれている。
図１８の使用位置では、ローラーＲは固定レール２０の拡大部２０ｂ内に配置されており、紙切板６はロールペーパー７の上面に自重で当接した状態となっている。
【００２６】
図１９のように、引出し２を前方側に真っ直ぐ引き出した時には、キャビネット１側に固定されている固定レール２０の狭小部２０ａ内にローラーＲが配置されてゆき、これにより、紙切板６の前端が上方へ持ち上げられてゆくものであり、片手でロールペーパー７を容易に交換することができるものとなる。
【００２７】
次に、図２０で示すものは、紙切板上昇機構の別例を示すものであり、本例では、横バー５に連結される支持バー４の上端は、Ｌ字状の取付プレート８に固定されて、取付プレート８は、引出し２の底面にビスを介して固定されている。
取付プレート８の左右両端側には、垂下状に端側垂下片８ａが設けられ、この端側垂下片８ａには、軸９を介して上下に揺動可能に紙切板６が設けられており、さらに、紙切板６の端側には、この紙切板６を交換位置へ引き出す時に持ち上げることのできる端板１０が設けられている。
【００２８】
この端板１０は軸９に取り付けられており、端板１０の後端側には係合部１０ｂが延出されている。
さらに、キャビネット１の側板の内側には、固定部材１２がビスで固定されており、この固定部材１２と端板１０で紙切板上昇機構が構成されている。
【００２９】
使用位置では、引出し２がストッパーＰに当たり、キャビネット１内に差し込まれて収納された状態となっており、この状態では、紙切板６の前端はロールペーパー７の上面に自重で当接した状態となっており、ロールペーパー７を前方側へ引き出して、紙切板６の先端で切断して、良好に使用することができるものである。
なお、この状態では、端板１０はフリーな状態となっている。
【００３０】
使用位置から、引出し２を前方側へ真っ直ぐ引き出してゆくと、交換位置となり、この状態では、キャビネット１側に固定されている固定部材１２が端板１０の係合部１０ｂを下方側へ押圧することにより、端板１０の前端側は上昇し、端板１０に連繋されている紙切板６も上昇して持ち上がることとなり、片手で良好にロールペーパー７を横バー５に抜き差しして交換することができるものとなる。
【００３１】
なお、図２１では、キャビネット１内に、左右２枚の引出し２を設けて、それぞれの引出し２の下面に紙巻器３を取り付けたものであり、左右何れか片方ずつ引出し２と共に紙巻器３を前方側へ真っ直ぐ引き出して、ロールペーパーを交換できるように構成したものである。
【００３２】
さらに、図２２に示すものは、横二連タイプではなく、縦二連タイプであり、上下にそれぞれ引出し２，２がキャビネット１内に引出し可能に設けられており、上下の引出し２，２のそれぞれの下面に紙巻器３が取付プレート８で取り付けられたタイプである。
この場合も、上下何れか一方ずつ前方側へ引き出してロールペーパーを容易に交換できるものである。
なお、この場合も紙切板上昇機構を設けておくことにより、前方へ引き出した状態では紙切板６が持ち上げられているため、片手で容易にロールペーパーを交換できるものである。
【００３３】
なお、これまでの実施例では、横方向に設けられた横バー５に、横方向からロールペーパー７を抜き差しできる紙巻器３を例示しているが、図２３に示すように、上下動できる支持ピン３ａを備えた紙巻器３であっても良く、この図２３の紙巻器３は、下方側からロールペーパー７をワンタッチでセットできるタイプのものであり、このような下方側からロールペーパーをセットできるワンタッチ着脱式の紙巻器３を引出し２の下面に固設しておき、引出し２を前方側へ真っ直ぐ引き出すことで、キャビネット１の外側へ紙巻器３を出して、良好に下方側からロールペーパー７をワンタッチで着脱して交換できるものである。
【００３４】
次に、図２４の平面図で、また図２５の正面図で、また図２６の側面図で示すものは、別タイプの収納式紙巻器に関するものである。
本例では、キャビネット１内に前方側へ真っ直ぐ引き出し可能に引出し２が設けられており、引出し２はキャビネット１の側壁の内側に設けられているスライドレール２３，２３に沿って前後方向にスライド移動できるものである。
【００３５】
この引出し２の底面には回転軸２１が設けられており、この回転軸２１の下端には十文字状の十字支持バー２２が連結され、十字支持バー２２の四片の先端には、それぞれＬ字状の横バー５ａ，５ｂ，５ｃ，５ｄが連結されて、平面視卍状に４本の横バー５ａ，５ｂ，５ｃ，５ｄが配置されており、それぞれの横バー５ａ，５ｂ，５ｃ，５ｄにロールペーパー７，７，７，７を横方向から抜き差しして取り付けできるように構成されている。
引出し２をキャビネット１から前方側へ真っ直ぐ引き出して、回転軸２１を回転させて、それぞれの横バー５ａ，５ｂ，５ｃ，５ｄにロールペーパー７を取り付け、または交換することができ、交換は横方向からロールペーパー７を横バー５ａ，５ｂ，５ｃ，５ｄに差し込んで容易に行うことができるものである。
【００３６】
なお、引出し２をキャビネット１内に収納させた状態で、先ず横バー５ａに取り付けられているロールペーパー７を使用し、横バー５ａのロールペーパー７を全部使用したところで、引出し２を前方側へ引き出して、この状態で回転軸２１を介して横バー５ｄを横バー５ａがあった位置まで回転させて、次は横バー５ｄに取り付けられているロールペーパー７を使用することができ、この横バー５ｄのロールペーパー７が無くなった時には、さらに引出し２を引き出して回転軸２１を介し回転させて、次には横バー５ｃに取り付けられているロールペーパー７を使用することができ、次々と回転させて、４本のロールペーパー７を次々と使用していくことができるものである。
【図面の簡単な説明】
【００３７】
【図１】キャビネット内の引出しの下面に設けられた紙巻器の斜視構成図である。
【図２】図１の紙巻器の収納状態の概略斜視構成図である。
【図３】引出しを前方側へ移動させた途中の斜視構成図である。
【図４】引出しを完全に引き出した状態の斜視構成図である。
【図５】図４の状態でロールペーパーを横方向から抜き差しして交換している状態の斜視構成図である。
【図６】横二連タイプの紙巻器の正面拡大構成図である。
【図７】図６の側面構成図である。
【図８】図６及び図７の紙巻器の使用位置（収納状態）における側面構成図である。
【図９】引出しを引き出した状態（交換位置）の側面構成図である。
【図１０】別例を示す使用位置の側面構成図である。
【図１１】図１０の交換位置における側面構成図である。
【図１２】さらに別例を示す使用位置の側面構成図である。
【図１３】図１２から引出しを引き出した交換位置の側面構成図である。
【図１４】図１２の平面構成図である。
【図１５】図１３の平面構成図である。
【図１６】さらに異なる別例を示す使用位置における側面構成図である。
【図１７】図１６から引出しを引き出した状態の交換位置における側面構成図である。
【図１８】さらに異なる別例を示す使用位置の側面構成図である。
【図１９】図１８の状態から引出しを引き出した状態の交換位置における側面構成図である。
【図２０】さらに異なる別例を示す側面構成図である。
【図２１】二連式の紙巻器を片方ずつ引き出すように構成した斜視構成図である。
【図２２】紙巻器を縦二連で設けた構成の概略斜視構成図である。
【図２３】下方からロールペーパーをセットできるワンタッチ着脱式の紙巻器の斜視構成図である。
【図２４】４個のロールペーパーを同時に保持することのできる紙巻器を備えたキャビネットの引出しを引き出した状態の平面構成図である。
【図２５】図２４の正面構成図である。
【図２６】図２４の側面構成図である。
【符号の説明】
【００３８】
１  キャビネット
２  引出し
２ａ  引出し長孔
３  紙巻器
４  支持バー
５  横バー
５ａ，５ｂ，５ｃ，５ｄ  横バー
６  紙切板
７  ロールペーパー
８  取付プレート
８ａ  端側垂下片
９  軸
１０  バネ板（端板）
１０ａ  戻り用凸部
１０ｂ  係合部
１１  バネ保持部材
１１ａ  係止部
１２  固定部材
１２ａ  歯部
１４  ワイヤー
１５  滑車
１６  バネ
１７  固定支柱
１８  持ち上げ用バー
１９  ギヤ
２０  固定レール
２０ａ  狭小部
２０ｂ  拡大部
２１  回転軸
２２  十字支持バー
Ｓ  収納空間
Ｒ  ローラー
【図１】
2006051291.tif 000003
【図２】
2006051291.tif 000004
【図３】
2006051291.tif 000005
【図４】
2006051291.tif 000006
【図５】
2006051291.tif 000007
【図６】
2006051291.tif 000008
【図７】
2006051291.tif 000009
【図８】
2006051291.tif 000010
【図９】
2006051291.tif 000011
【図１０】
2006051291.tif 000012
【図１１】
2006051291.tif 000013
【図１２】
2006051291.tif 000014
【図１３】
2006051291.tif 000015
【図１４】
2006051291.tif 000016
【図１５】
2006051291.tif 000017
【図１６】
2006051291.tif 000018
【図１７】
2006051291.tif 000019
【図１８】
2006051291.tif 000020
【図１９】
2006051291.tif 000021
【図２０】
2006051291.tif 000022
【図２１】
2006051291.tif 000023
【図２２】
2006051291.tif 000024
【図２３】
2006051291.tif 000025
【図２４】
2006051291.tif 000026
【図２５】
2006051291.tif 000027
【図２６】
2006051291.tif 000028